【手続補正書】
【提出日】平成17年9月21日(2005.9.21)
【手続補正１】
【補正対象書類名】特許請求の範囲
【補正対象項目名】全文
【補正方法】変更
【補正の内容】
【特許請求の範囲】
【請求項１】
通信システムにおいて、
送信元から、第１のデータレートでかつある電力レベルで、データフレームによってデータのパケットを送信することと、
受信先において、前記データのパケットを受信することと、
前記データのパケットを復号することに失敗することと、
否定応答を前記送信元に送信することと、
前記データのパケットを、第２のデータレートで、データの少なくとも２つのフレームによって前記電力レベルで再送信することと、
前記第１及び第２のデータレートの比で、前記データのパケットのビット毎のエネルギを決定することと、
前記決定されたビット毎のエネルギが最小レベルになるように、前記比から前記第２のデータレートを決定することと、
を備える方法。
【請求項２】
前記第２のデータレートは、前記第１のデータレートよりも低い、請求項１に記載の方法。
【請求項３】
送信のためのデータレートからなる所定の群から前記第２のデータレートを選択することをさらに備える、請求項１に記載の方法。
【請求項４】
前記データの少なくとも２つのフレームの数は、前記第１のデータレートと第２のデータレートの比に依存する、請求項１に記載の方法。
【請求項５】
通信システムにおいて、
第１のデータレートでかつある電力レベルで、データフレームによってデータのパケットを送信する送信元と、
受信先が、前記データのパケットを復号することに失敗した場合に、前記データのパケットを、第２のデータレートで、データの少なくとも２つのフレームによって前記電力レベルで再送信するように、前記送信元に結合されたデータレート及び電力レベルセレクタとを備え、
前記データレート及び電力レベルセレクタは、前記第１及び第２のデータレートの比で前記データのパケットのビット毎のエネルギを決定し、前記決定されたビット毎のエネルギが最小レベルになるように、前記比から前記第２のデータレートを選択する装置。
【請求項６】
前記データレート及び電力レベルセレクタは、前記第１のデータレートよりも低いレートに前記第２のデータレートを選択する、請求項５に記載の装置。
【請求項７】
前記データレート及び電力レベルセレクタは、送信のためのデータレートからなる所定の群から前記第２のデータレートを選択する、請求項５に記載の装置。
【請求項８】
前記データレート及び電力レベルセレクタは、前記第１のデータレートと第２のデータレートの比に基づいて、前記データの少なくとも２つのフレームの数を選択する、請求項５に記載の装置。
【請求項９】
通信システムであって、
第１のデータレートでかつ所定の電力レベルで、データフレームによってデータのパケットを送信する送信元と、
前記データのパケットを受信し、受信先が、前記データのパケットを復号するのに失敗した場合に、否定応答を前記送信元に送信する受信先と、
前記送信元が、前記データのパケットを第２のデータレートで、データの少なくとも２つのフレームによって前記電力レベルで再送信するために構成されており、
前記第１及び第２のデータレートの比で前記データのパケットのビット毎のエネルギを決定し、前記決定されたビット毎のエネルギが最小レベルになるように、前記第２のデータレートを前記比から選択するためのデータレート及び電力レベルセレクタとを備える通信システム。
【請求項１０】
前記送信元は、前記第１のデータレートよりも低い前記第２のデータレートを選択するデータレート及び電力レベルセレクタを含む、請求項９に記載のシステム。
【請求項１１】
送信のためのデータレートからなる所定の群から前記第２のデータレートを選択するデータレート及び電力レベルセレクタをさらに備える、請求項９に記載のシステム。
【請求項１２】
前記データの少なくとも２つのフレームの数は、前記第１のデータレートと第２のデータレートの比に依存する、請求項９に記載のシステム。
【請求項１３】
通信システムにおける使用のためのプロセッサであって、
第１のデータレートで及び電力レベルで、データフレームによってデータのパケットを送信元から送信し、受信先が、前記データのパケットを復号することに失敗した場合に、前記データのパケットを、第２のデータレートで、データの少なくとも２つのフレームによって前記電力レベルで再送信する送信元を制御するデータレート及び電力レベルセレクタを備え、
前記データレート及びパワーレベルセレクタは、前記第１及び第２のデータレートの比で前記データのパケットのビット毎のエネルギを決定し、前記決定されたビット毎のエネルギが最小レベルになるように、前記第２のデータレートを前記比から選択するように構成されているプロセッサ。
【請求項１４】
前記データレート及び電力レベルセレクタは、前記第１のデータレートよりも低い前記第２のデータレートを選択するために構成されている、請求項１２に記載のプロセッサ。
【請求項１５】
前記データレート及び電力レベルセレクタは、送信のためのデータレートからなる所定の群から前記第２のデータレートを選択するために構成されている、請求項１２に記載のプロセッサ。
【請求項１６】
前記データレート及び電力レベルセレクタは、前記第１のデータレートと第２のデータレートの比に基づいて、前記データの少なくとも２つのフレームの数を選択するために構成されている、請求項１２に記載のプロセッサ。
【請求項１７】
通信システムにおける使用のための装置であって、
第１のデータレートでかつある電力レベルで、データフレームによってデータのパケットを送信元から送信し、受信先が、前記データのパケットを復号することに失敗した場合に、前記データのパケットを、第２のデータレートで、データの少なくとも２つのフレームによって前記電力レベルで再送信する前記送信元を制御するデータレート及び電力レベルセレクタのための手段を備え、
前記データレート及び電力レベルセレクタのための前記手段が、前記送信元に結合され、
前記データレート及びパワーレベルセレクタのための前記手段は、前記第１及び第２のデータレートの比で前記データのパケットのビット毎のエネルギを決定するように構成されている装置。
【請求項１８】
前記データレート及び電力レベルセレクタのための前記手段は、前記第１のデータレートよりも低い前記第２のデータレートを選択するために構成されている、請求項１６に記載の装置。
【請求項１９】
前記データレート及び電力レベルセレクタのための前記手段は、送信のためのデータレートからなる所定の群から前記第２のデータレートを選択するために構成されている、請求項１６に記載の装置。
【請求項２０】
前記データレート及び電力レベルセレクタのための前記手段は、前記第１のデータレートと第２のデータレートの比に基づいて、前記データの少なくとも２つのフレームの数を選択するために構成されている、請求項１６に記載の装置。
【手続補正２】
【補正対象書類名】明細書
【補正対象項目名】０００６
【補正方法】変更
【補正の内容】
【０００６】
本発明の様々な実施形態は、米国電気通信工業会（Ｔｅｌｅｃｏｍｍｕｎｉｃａｔｉｏｎ  Ｉｎｄｕｓｔｒｙ  Ａｓｓｏｃｉａｔｉｏｎ；ＴＩＡ）や他の規格組織によって発表された様々な規格に開示及び記載されている符号分割多重接続（ＣＤＭＡ）方式に従って作動する無線通信システムに組み込むことができる。このような規格としては、ＴＩＡ／ＥＩＡ−９５規格、ＴＩＡ／ＥＩＡ−ＩＳ−２０００規格、ＩＭＴ−２０００規格、ＵＭＴＳ及びＷＣＤＭＡ規格が挙げられ、これら全ては参照してここに組み込まれる。また、データの通信のためのシステムは、参照してここに組み込まれる「ＴＩＡ／ＥＩＡ／ＩＳ−８５６  ｃｄｍａ２０００高速パケットデータエアインタフェース仕様書（ＴＩＡ／ＥＩＡ／ＩＳ−８５６  ｃｄｍａ２０００  Ｈｉｇｈ  Ｒａｔｅ  Ｐａｃｋｅｔ  Ｄａｔａ  Ａｉｒ  Ｉｎｔｅｒｆａｃｅ  Ｓｐｅｃｉｆｉｃａｔｉｏｎ）」に詳述されている。上記規格のコピーは、ワールドワイドウエブにアクセスすることにより、あるいは、米国、ＶＡ  ２２２０１、アーリントン、ウィルソン  ブルバード、２５００（２５００  Ｗｉｌｓｏｎ  Ｂｏｕｌｅｖａｒｄ，Ａｒｌｉｎｇｔｏｎ，ＶＡ  ２２２０１，Ｕｎｉｔｅｄ  Ｓｔａｔｅｓ  ｏｆ  Ａｍｅｒｉｃａ）のＴＩＡの規格及び技術部門に手紙を書くことによって入手することができる。参照してここに組み込まれ、ＵＭＴＳ規格とほぼ同一と見なされる上記規格は、フランス  ヴァルボンヌ、ルシオル−ソフィアアンティポリ街道６５０（６５０  Ｒｏｕｔｅ  ｄｅｓ  Ｌｕｃｉｏｌｅｓ−Ｓｏｐｈｉａ  Ａｎｔｉｐｏｌｉｓ，Ｖａｌｂｏｎｎｅ−Ｆｒａｎｃｅ）の３ＧＰＰ  サポートオフィスに問い合わせれば入手することができる。
【手続補正３】
【補正対象書類名】明細書
【補正対象項目名】００１１
【補正方法】変更
【補正の内容】
【００１１】
図２は、受信したＣＤＭＡ信号を処理して復調するのに使用される受信機４００のブロック図を示す。受信機４００は、アンテナシステム４９２と受信処理ユニット４９９とを含み、受信信号を処理して復調された混合信号４９８を生成し、受信情報を復号すべく復号器４１４に入力される。受信機４００は、リバースリンク信号及びフォワードリンク信号上の情報を復号するのに使用することができる。受信（Ｒｅｃｅｉｖｅ；Ｒｘ）サンプルは、ＳＡＭＰＬＥ  ＲＡＭ４０４に蓄積することができる。受信サンプルは、無線周波／中間周波（ＲＦ／ＩＦ）システム４９０及びアンテナシステム４９２によって生成される。アンテナシステム４９２は、ＲＦ信号を受信して、該ＲＦ信号をＲＦ／ＩＦシステム４９０へ送る。ＲＦ／ＩＦシステム４９０は、どのような従来のＲＦ／ＩＦ受信機でもよい。受信したＲＦ信号はフィルタリングされ、ダウンコンバートされ、ディジタル化されて、ベースバンド周波数でＲｘサンプルを形成する。該サンプルは、デマルチプレクサ（ｄｅｍｕｘ）４０２に供給される。ｄｅｍｕｘ４０２の出力は、サーチャーユニット４０６及びフィンガ要素４０８へ供給される。制御ユニット４１０は、サーチャ４０６の出力を受信するとともに復調器４０２及び全てのフィンガ要素４０８に出力するように結合されている。合成器４１２は、復号器４１４をフィンガ要素４０８に結合する。制御ユニット４１０は、ソフトウェアによって制御されるマイクロプロセッサであってもよく、また同じ集積回路上あるいは別の集積回路上に配置してもよい。復号器４１４の復号機能は、連結したソフト出力ビタビアルゴリズムまたはターボデコーダに従ってもよい。
【手続補正４】
【補正対象書類名】明細書
【補正対象項目名】００１４
【補正方法】変更
【補正の内容】
【００１４】
本発明の様々な態様によれば、通信システム１００において、送信機３００は、移動局１０２等の送信元からの第１のデータレート及び電力レベルで、データフレームによってデータのパケットを送信する。基地局１０１または１６０等の受信先は、上記データのパケットを受信する。上記受信先が、上記受信したデータのパケットを復号するのを失敗した場合には、該受信先は、否定応答を上記送信元へ送信する。上記送信元は、上記データのパケットを、上記最初の電力レベルで、少なくとも２つのフレームによって第２のデータレートで再送信する。一実施形態による該第２のデータレートは、上記第１のデータレートよりも低い。従って、通信資源は、上記再送信が、上記最初の送信の電力レベルであるので、有効に利用される。上記データフレームを送信するための再送信で使用されるフレーム数は、上記第１のデータレートと第２のデータレートの比に依存する。上記第２のデータレートが、上記第１のデータレートの半分である場合には、上記再送信は、上記データのパケットの各データビットを再送信するためのデータの２つのフレームによって行われる。上記第２のデータレートが、上記第１のデータレートの３分の１である場合には、上記再送信は、上記データのパケットの各データビットを再送信するためのデータの３つのフレームによって行われる。